(57)【要約】【課題】既設の屋外用流しを直接装飾状態とし得る装飾体の提供。【解決手段】排水手段３５を備えた流し槽３０と、当該流し槽３０に水を供給する水栓４１を有する水栓柱４０とを備えた屋外用流しＢに用いられる装飾体Ａであって、この装飾体Ａが、前記流し槽３０に被せられる装飾本体部Ａ’と、前記水栓柱４０に対する起立装飾部Ａ”とを備えており、前記装飾本体部Ａ’が、流し槽３０の周回上縁部３３を上方から装飾する枠状部１０と、この枠状部１０における少なくとも前部側１０ａと側部側１０ｂから下方に向けて延設されて前記流し槽３０の外側部３０’を側方から装飾する裾部１１とを有しており、前記起立装飾部Ａ”が、前記装飾本体部Ａ’に起立状態に備えられていると共に前記水栓柱４０における水栓４１を前方に突き出させた状態で該水栓柱４０の前面を覆うように構成される。【選択図】        図１
2004162354.tif 000002
【特許請求の範囲】
【請求項１】
排水手段を備えた流し槽と、当該流し槽に水を供給する水栓を有する水栓柱とを備えた屋外用流しに用いられる装飾体であって、
この装飾体が、前記流し槽に被せられる装飾本体部と、前記水栓柱に対する起立装飾部とを備えており、
前記装飾本体部が、流し槽の周回上縁部を上方から装飾する枠状部と、この枠状部における少なくとも前部側と側部側から下方に向けて延設されて前記流し槽の外側部を側方から装飾する裾部とを有しており、
前記起立装飾部が、前記装飾本体部に起立状態に備えられていると共に前記水栓柱における水栓を前方に突き出させた状態で該水栓柱の前面を覆うように構成されていることを特徴とする屋外用流しの装飾体。
【請求項２】
前記起立装飾部が縦方向に長い開口を備えていると共に、前記水栓を前方に向けて突き出させた状態で当該開口を塞ぐ塞ぎ手段を備えていることを特徴とする請求項１に記載の屋外用流しの装飾体。
【請求項３】
前記塞ぎ手段が、前記起立装飾部に着脱可能に装着される複数枚の化粧板よりなることを特徴とする請求項２に記載の屋外用流しの装飾体。
【請求項４】
前記起立装飾部が、前記装飾本体部から前記水栓柱を内方に位置付けるように起立状態に備えられている起立枠状部と、該起立枠状部の枠内を塞ぐ装飾板とを備えており、
この装飾板が、縦方向に長い開口を備えていると共に前記水栓を前方に向けて突き出させた状態で当該開口を塞ぐ塞ぎ手段を備えていることを特徴とする請求項１に記載の屋外用流しの装飾体。
【請求項５】
前記塞ぎ手段が、前記装飾板に着脱可能に装着される複数枚の化粧板よりなることを特徴とする請求項４に記載の屋外用流しの装飾体。
【請求項６】
前記起立枠状部の枠内を塞ぐ装飾板が当該起立枠状部に対して着脱可能に備えられていることを特徴とする請求項４又は請求項５に記載の屋外用流しの装飾体。
【発明の詳細な説明】
【０００１】
【発明の属する技術分野】
この発明は設置されている屋外用流しを容易に外観体裁の良好な屋外用流しとすることのできる装飾体の提供に関する。
【０００２】
【従来の技術】
従来、各種の洗い物の洗いや手足などの洗浄、庭木などに対する散水や洗車など各種の目的から、研ぎ出し流し、ガーデンシンク、ガーデンパン、庭用洗い場などと称される流しを屋外に必要に応じて設置していた。
【０００３】
このように屋外に設置される流しは、多くの場合、住宅本体の完工時に、設置コストなどの点から、コンクリート製流し槽やプラスチック製流し槽と、この流し槽に水道水などの水を供給する水栓を備えた水栓柱とによって既に構成されていることが多く、屋外の景観に十分な配慮がなされていないことが多かった。また、建売住宅の場合にあっては、かかる屋外における流しが設置された状態で販売されていた。
【０００４】
かかる点から、造園などの外回りの工事に際して、景観を良くするためには、既設の流しを撤去して目的とする外観を備えた流しを新規に構成する必要があった。
また、例えば、特許文献１に示されるガーデンシンクに既設の流しを取り替える必要があった。
【０００５】
【特許文献１】
特開２００１−３２３５２９号公報
【０００６】
【発明が解決しようとする課題】
しかしながら、かかる既設の流しを撤去して、新たに目的とする景観を備えた流しを構成するには、水道工事業者による各種の配管工事や、レンガ積みなどの各種の装飾施工を要し、多くの工事期間と多くの設備コストを要するなどの不具合があった。
また、特許文献１に示されるガーデンシンクの設置にあっても、既設の流しに代わる流しを備えたガーデンシンクを用意する必要があり、しかも、既設の流しの撤去工事と、当該ガーデンシンクを設置するための水道工事業者による配管工事を要するなどの不具合があった。
【０００７】
この発明は、既設の屋外備え付けの流しをそのままの状態で用いると共に、格別の技術を要することなく、景観の良好な流し設備を容易且つ短時間に構成することのできる屋外用流しの装飾体の提供を目的としている。
【０００８】
【課題を解決するための手段】
前記目的を達成するために請求項１に記載の発明は、排水手段を備えた流し槽と、当該流し槽に水を供給する水栓を有する水栓柱とを備えた屋外用流しに用いられる装飾体であって、
この装飾体が、前記流し槽に被せられる装飾本体部と、前記水栓柱に対する起立装飾部とを備えており、
前記装飾本体部が、流し槽の周回上縁部を上方から装飾する枠状部と、この枠状部における少なくとも前部側と側部側から下方に向けて延設されて前記流し槽の外側部を側方から装飾する裾部とを有しており、
前記起立装飾部が、前記装飾本体部に起立状態に備えられていると共に前記水栓柱における水栓を前方に突き出させた状態で該水栓柱の前面を覆うように構成されていることを特徴とする屋外用流しの装飾体としてある。
【０００９】
このように構成される屋外用流しの装飾体にあっては、屋外に設置されている流しに対して当該装飾体を装着することによって、既設の流しの撤去を要せず、しかも、新規の流しの購入設置や、水道工事、排水工事、レンガ積みなどの装飾工事などの各種の工事を必要とすることなく、格別の有資格者や専門的技術者によることなしに、比較的短時間で、景観の良好な流し設備を構成することができる。
【００１０】
また、前記目的を達成するために請求項２に記載の発明は、請求項１に記載の屋外用流しの装飾体であって、前記起立装飾部が縦方向に長い開口を備えていると共に、前記水栓を前方に向けて突き出させた状態で当該開口を塞ぐ塞ぎ手段を備えていることを特徴とする屋外用流しの装飾体としてある。
【００１１】
このように構成される屋外用流しの装飾体にあっては、前記特長に併せて、上下方向の種々の位置にある前記水栓柱の水栓を該起立装飾部から前方に向けて都合良く突き出した状態で当該装飾体を既設の流しに装着することができる。
【００１２】
また、前記目的を達成するために請求項３に記載の発明は、請求項２に記載の屋外用流しの装飾体であって、前記塞ぎ手段が、前記起立装飾部に着脱可能に装着される複数枚の化粧板よりなることを特徴とする屋外用流しの装飾体としてある。
【００１３】
このように構成される屋外用流しの装飾体にあっては、前記特長に併せて、上下方向の種々の位置にある前記水栓柱の水栓を該化粧板の装着位置の変更によって当該起立装飾部から前方に向けて都合良く突き出した状態で当該装飾体を既設の流しに装着することができる。
【００１４】
また、前記目的を達成するために請求項４に記載の発明は、請求項１に記載の屋外用流しの装飾体であって、前記起立装飾部が、前記装飾本体部から前記水栓柱を内方に位置付けるように起立状態に備えられている起立枠状部と、該起立枠状部の枠内を塞ぐ装飾板とを備えており、
この装飾板が、縦方向に長い開口を備えていると共に前記水栓を前方に向けて突き出させた状態で当該開口を塞ぐ塞ぎ手段を備えていることを特徴とする屋外用流しの装飾体としてある。
【００１５】
このように構成される屋外用流しの装飾体にあっては、前記特長に併せて、装飾本体部から枠付き面状に起立する景観の流し設備を構成することができる。
【００１６】
また、前記目的を達成するために請求項５に記載の発明は、請求項４に記載の屋外用流しの装飾体であって、前記塞ぎ手段が、前記装飾板に着脱可能に装着される複数枚の化粧板よりなることを特徴とする屋外用流しの装飾体としてある。
【００１７】
このように構成される屋外用流しの装飾体にあっては、前記特長に併せて、上下方向の種々の位置にある前記水栓柱の水栓を該化粧板の装着位置の変更によって当該枠付き面状に起立する起立装飾部から前方に向けて都合良く突き出した状態で当該装飾体を既設の流しに装着することができる。
【００１８】
また、前記目的を達成するために請求項６に記載の発明は、請求項４又は請求項５に記載の屋外用流しの装飾体であって、前記起立枠状部の枠内を塞ぐ装飾板が当該起立枠状部に対して着脱可能に備えられていることを特徴とする屋外用流しの装飾体としてある。
【００１９】
このように構成される屋外用流しの装飾体にあっては、前記特長に併せて、不凍水栓柱を設置した際などにおいて、当該装飾板を取り外して対応することができる。
【００２０】
【発明の実施の形態】
以下、本発明に係る典型的な一実施の形態に係る屋外用流しの装飾体Ａについて詳細に説明する。
図１は、屋外用流しの装飾に用いられる装飾体の部品を分離した状態と当該装飾体で装飾される屋外用流しとを前面側の斜め上方から見て示しており、図２では、これを背面側の斜め上方から見て示している。
図３は、屋外用流しに当該装飾体を備え付けた状態を前面側の斜め上方から、図４では、これを背面側の斜め上方から見て示している。
図５は、屋外用流しに当該装飾体を装飾した状態を正面側から見て、図６では、これを側面側から見て、更に、図７では、これを上方から見て示している。
図８は、図７におけるＸ−Ｘ線矢視での当該屋外用流しに装飾体を施した状態で水栓柱以外の部分を縦断面で示しており、図９は、水栓及びこれに給水する管部分を除いた図７におけるＹ−Ｙ線矢視での縦断面を示している。また、図１０は、図７におけるＺ−Ｚ線矢視での縦断面を示している。
図１１は、装飾板２４と当該装飾板２４の開口２５を塞ぐ塞ぎ手段２６として用いられる化粧板２６’を分離して斜め上方から視て示している。
図１２の（ａ）、（ｂ）、（ｃ）、（ｄ）は、開口２５から突き出される水栓柱４０における水栓４１の各流し槽３０の設置位置からの距離に対応して当該開口２５を都合良く塞ぎ得るように装飾板２４に止め付けられる各化粧板２６’の典型的な取り付け例を正面側から見て示している。
図１３は、水栓柱として不凍水栓柱４０’が備えられている屋外用流しの装飾体Ａにおける当該不凍水栓柱４０’の水栓操作をなす必要のある期間において、起立枠状部２０から装飾板２４を取り外した状態を正面側から見て示している。
【００２１】
請求項１に記載の発明に対応する典型的な実施の形態に係る屋外用流しの装飾体Ａは、排水手段３５を備えた流し槽３０と、当該流し槽３０に水を供給する水栓４１を有する水栓柱４０とを備えた屋外用流しＢに用いられる装飾体Ａであって、この装飾体Ａが、前記流し槽３０に被せられる装飾本体部Ａ’と、前記水栓柱４０に対する起立装飾部Ａ”とを備えており、前記装飾本体部Ａ’が、流し槽３０の周回上縁部３３を上方から装飾する枠状部１０と、この枠状部１０における少なくとも前部側１０ａと側部側１０ｂから下方に向けて延設されて前記流し槽３０の外側部３０’を側方から装飾する裾部１１とを有しており、前記起立装飾部Ａ”が、前記装飾本体部Ａ’に起立状態に備えられていると共に前記水栓柱４０における水栓４１を前方に突き出させた状態で該水栓柱４０の前面を覆うように構成されている。
【００２２】
なお、前記装飾体Ａは各種の屋外用流しＢに対して、前記の状態でそれぞれ都合良く装着し得る形態を備えたものであれば、いかなる形状としてあってもよく、また、当該装飾体Ａを一体のものとして構成してあっても、当該装飾体Ａを複数の部材の組み付けによって構成してあってもよい。
【００２３】
なお、ここで屋外用流しＢは、研ぎ出し流し、外流し、屋外流し、ガーデンシンク、ガーデンパン、庭用洗い場など各種の名称で称されており、勝手口や、玄関口や、庭先などの屋外の任意の場所に設置されて、各種の洗い物を洗ったり、手足などの洗浄、洗車、ポーチの洗浄など各種の洗いや、洗浄の手段として用いられたり、庭先に対する散水や植木などに対する散水などの各種の散水手段など各種の目的に用いられるものである。
【００２４】
このように構成される屋外用流しの装飾体Ａにあっては、屋外に設置されている屋外用流しＢに対して当該装飾体Ａを装着することによって、既設の流しの撤去を要せず、しかも、新規の流しの購入設置や、水道工事、排水工事、レンガ積みなどの装飾工事などの各種の工事を必要とすることなく、格別の有資格者や専門的技術者によることなしに、比較的短時間で、景観の良好な流し設備を構成することができる。
【００２５】
また、前記構成に係る屋外用流しの装飾体Ａであって、前記起立装飾部Ａ”が縦方向に長い開口２５を備えていると共に、前記水栓４１を前方に向けて突き出させた状態で当該開口２５を塞ぐ塞ぎ手段２６を備えた構成の屋外用流しの装飾体Ａにあっては、前記特長に併せて、上下方向の種々の位置にある前記水栓柱４０の水栓４１を該起立装飾部Ａ”から前方に向けて都合良く突き出した状態で当該装飾体Ａを既設の屋外用流しＢに装着することができる。
【００２６】
また、前記構成に係る屋外用流しの装飾体Ａであって、前記塞ぎ手段２６が、前記起立装飾部Ａ”に着脱可能に並列状態に装着される複数枚の化粧板２６’よりなる構成の屋外用流しの装飾体Ａにあっては、前記特長に併せて、上下方向の種々の位置にある前記水栓柱４０の水栓４１を該化粧板２６’の装着位置の変更によって当該起立装飾部Ａ”から前方に向けて都合良く突き出した状態で当該装飾体Ａを既設の屋外用流しＢに装着することができる。
【００２７】
また、請求項４に記載の発明に対応する屋外用流しの装飾体Ａは、前記請求項に１に記載の発明に対応する屋外用流しの装飾体Ａにおいて、前記起立装飾部Ａ”が、前記装飾本体部Ａ’から前記水栓柱４０を内方に位置付けるように起立状態に備えられている起立枠状部２０と、該起立枠状部２０の枠内を塞ぐ装飾板２４とを備えており、この装飾板２４が、縦方向に長い開口２５を備えていると共に前記水栓４１を前方に向けて突き出させた状態で当該開口２５を塞ぐ塞ぎ手段２６を備えた構成の屋外用流しの装飾体Ａとすることによって、装飾本体部Ａ’から枠付き面状に起立する景観の流し設備を構成することができる。
【００２８】
また、前記構成に係る屋外用流しの装飾体Ａであって、前記塞ぎ手段２６が、前記装飾板２４に着脱可能に並列状態に装着される複数枚の化粧板２６’よりなる構成の屋用流しの装飾体Ａとすることによって、前記特長に併せて、上下方向の種々の位置にある前記水栓柱４０の水栓４１を該化粧板２６’の装着位置の変更によって当該枠付き面状に起立する起立装飾部Ａ”から前方に向けて都合良く突き出した状態で当該装飾体Ａを既設の流しに装着することができる。
【００２９】
また、前記構成に係る屋外用流しの装飾体Ａであって、前記起立枠状部２０の枠内を塞ぐ装飾板２４が当該起立枠状部２０に対して着脱可能に備えられている構成の屋外用流しの装飾体Ａとすることによって、前記特長に併せて、不凍水栓柱４０’を設置した際などにおいて、当該装飾板２４を取り外して対応することができる。
【００３０】
かかる実施の形態に係る屋外用流しの装飾体Ａを、更に具体的に説明する。
この実施の形態に係る屋外用流しの装飾体Ａは、屋外用流しＢに対して前記の状態で装着して用いられるものであれば、いかなる形態としてあってもよく、装着対象とされる各種の形態を備えた屋外用流しＢに対応した形態を備えた装飾体Ａとして構成される。
【００３１】
当該屋外用流しの装飾体Ａの装着される屋外用流しＢは、いかなる形態のものであってもよく、この図示例は、その典型的な一例を示したものであり、ここで示される屋外用流しの装飾体Ａも、当該図示例に係る屋外用流しＢに対応して用いられる典型的な一例として示したものであって、装飾本体部Ａ’と起立装飾部Ａ”とを備えた構成としてある。
【００３２】
かかる図示例に係る屋外用流しの装飾体Ａの説明に先立ち、当該図示例に係る屋外用流しの装飾体Ａの装着される図示例の屋外用流しＢについて説明する。
この図示例に係る屋外用流しＢは、排水手段３５を備えて設置部Ｃに設置されている流し槽３０と、当該設置部Ｃに立設状態に備えられて、当該流し槽３０に水を供給する水道栓などの水栓４１を有する水栓柱４０とを備え、水道管４２から当該水栓４１を経て前記流し槽３０に水道水を供給し得る構成としてある。
【００３３】
かかる屋外用流しＢを構成する流し槽３０は、設置部Ｃ、典型的には、コンクリートブロックや打設コンクリートなどの設置ベース部Ｃ’に設置されており、例えば、コンクリートやプラスチックなど各種の素材を用いて構成される。
この図示例に係る流し槽３０は、平面視で四角形状をなす底板部３２と、当該底板部３２の四周から上方に向けて起立するように当該底板部３２に一体の周側立ち上り部３１とを備えた構成としてあり、この周側立ち上り部３１は、前記流し槽３０の前部側に位置する前部側立ち上り部３１ａと、この前部側立ち上り部３１ａに連続して後方に向けて一体に備えられている両側部側立ち上り部３１ｂ、３１ｂと、該流し槽３０の後部側にあって、この各側部側立ち上り部３１ｂ、３１ｂ間を連続する後部側立ち上り部３１ｃとを備えた構成としてある。
【００３４】
また、この周側立ち上り部３１の周回上縁部３３には各鍔部が設けてあり、前記前部側立ち上り部３１ａの上縁部には細幅の前部側上縁鍔部３３ａが、側部側立ち上り部３１ｂには細幅の側部側上縁鍔部３３ｂが設けてあると共に、前記後部側立ち上り部３１ｃより後方に向けて突き出す前記側部側立ち上り部３１ｂ間に幅広の後部側上縁鍔部３３ｃが備えられた構成としてあり、この幅広の後部側上縁鍔部３３ｃに前記立設状態に備えられる水栓柱４０の入れ込まれる凹状部３４を設けた構成としてある。
【００３５】
かかる流し槽３０における周回上縁部３３から下方に向けて前記底板部３２に到る外側が当該流し槽３０の外側部３０’とされており、その内側が内側部３０”としてある。
また、この図示例に係る流し槽３０には、当該流し槽３０の排水口３５ａに排水管３５ｂを連通状態に接続して設けてあり、当該流し槽３０の排水手段３５を構成してある。
【００３６】
次いで、水道栓などの水栓４１を備える水栓柱４０は、この図示例にあっては、設置部Ｃに対して下部側を埋設して立設状態に備えられており、上下の各エルボ４０ｂ間に給水管４０ａを連通状態に接続して備えた構成としてあり、この上部側のエルボ４０ｂに水栓４１を下部側のエルボ４０ｂに水道管４２を夫々連通状態に接続した構成としてある。
なお、図中４１ａは当該水栓４１の栓４１を、４１ｂは当該水栓４１の蛇口を示している。
【００３７】
この図示例に係る水栓柱４０は、その下部側をコンクリートやモルタルなどの立設固定手段Ｃ”で固定されて設置部Ｃに立設状態に備えられていると共に、この水栓柱４０に対して前記流し槽３０が、当該流し槽３０の凹状部３４内に該水栓柱４０を受け入れるようにして設置されている。
【００３８】
かかる屋外用流しＢに装着して用いられる屋外用流しの装飾体Ａは、装飾本体部Ａ’と起立装飾部Ａ”とを備えた構成としてあり、この図示例にあっては、当該屋外用流しの装飾体Ａを構成する装飾本体部Ａ’と起立装飾部Ａ”を、主として枠状部１０、裾部１１、起立枠状部２０、装飾板２４、塞ぎ手段２６などによって構成している。
【００３９】
まず当該図示例に係る装飾本体部Ａ’について具体的に説明する。
かかる装飾本体部Ａ’は、流し槽３０の周回上縁部３３を上方から都合良く装飾する枠状部１０と、この枠状部１０における少なくとも前部側１０ａと側部側１０ｂから下方に向けて延設されて前記流し槽３０の外側部３０’を側方から装飾する裾部１１を備えたものとして構成されてあれば、いかなる形状に構成してあってもよく、この図示例にあっては、前記流し槽３０における周側立ち上り部３１の周回上縁部３３を上方から装飾するように該周回上縁部３３に被される枠状部１０と、この枠状部１０における少なくとも前部側１０ａと側部側１０ｂから下方に向けて、延設状態、即ち、当該周回上縁部３３から下方に向けて一体的に備えられて前記流し槽３０の外側部３０’を側方から装飾する裾部１１とを備えた構成としてあり、当該外側部３０’を前記裾部１１によって側方から装飾し、且つ、前記枠状部１０によって前記周回上縁部３３を装飾するように当該装飾本体部Ａ’を前記流し槽３０に被せるようにして装着する。
【００４０】
かかる屋外用流しＢに装着して用いられる装飾本体部Ａ’は、プラスチック製、コンクリート製、石製、金属製、木材製など、流し槽３０に被せる形状に加工し得る素材であればいかなる素材によって構成してあってもよく、耐水性、対薬品性を有する素材によって構成されることが好ましく、例えば、ＦＲＰ（Ｆｉｂｅｒ  Ｒｅｉｎｆｏｒｃｅｄ  Ｐｌａｓｔｉｃｓ）によって構成提供することができる。
【００４１】
かかる装飾本体部Ａ’を構成する枠状部１０は、前記流し槽３０における周回上縁部３３を上方から装飾する形状を備えたものであって、この図示例にあっては、当該周回上縁部３３に沿うように形成された形状、即ち、当該上縁部３３の形状に倣った形状とされており、平面視で四角形の環枠状に構成してある。
【００４２】
かかる図示例の枠状部１０は、横向きの前部側板状部１０ａ’と、この前部側板状部１０ａ’の両側から一体に連続して備えられている横向きの側部側板状部１０ｂ’と、このそれぞれの側部側板状部１０ｂ’、１０ｂ’の後部側に備えられている筒状部１３から一体に連続して備えられている立ち上り装飾部１２とを一連に連続した構成としてある。即ち、この側部側板状部１０ｂ’と立ち上り装飾部１２との連続部に筒状部１３を起立状態に備えた構成としてあって、該前部側板状部１０ｂ’によって当該枠状部１０の前部側１０ａを構成し、前記側部側板状部１０ｂ’及びこれに連続する筒状部１３の該当部分とによって当該枠状部１０の側部側１０ｂを構成し、前記立ち上り装飾部１２及びこれに連続する筒状部１３の該当部分によって当該枠状部１０の後部側１０ｃを構成するようにしてある。
【００４３】
かかる枠状部１０の後部側１０ｃを構成する立ち上り装飾部１２は、追って説明する起立装飾部Ａ”の設置ベース部を構成するものであって、垂直な向きの前面側板部１２ａと横向きの上面側板部１２ｂを備えており、前記筒状部１３に両端が一体に連続された構成としてある。
また、この上面側板部１２ｂには背面側から前方側に向けて凹状部１２ｃが設けてあり、この凹状部１２ｃに水栓柱４０と起立枠状部２０の取付け金具１８が組み付けられる構成としてある。
なお、この図示例にあっては、取付け金具１８の取付け部分、即ち、下側屈曲板部１８ｃの取付位置より側方にある当該上面側板部１２ｂの後部側縁部から下方に短寸状に突き出す屈曲片部１２ｆを備えた構成としてある。
【００４４】
なお、この前面側板部１２ａの下端縁１２ｄと、前記前部側板状部１０ａ’の内側縁から下方に向けて設けられている鍔状部１０ａ”の下端縁と、側部側板状部１０ｂ’の内側縁から下方に向けて設けられている鍔状部１０ｂ”の下端縁と、これに連続する筒状部１３における内側下端縁とは、いずれも同面状に構成してあり、流し槽３０における内側部３０”に当接し得る構成としてある。
まお、この下端縁１２ｄ、鍔状部１０ａ”の下端縁、鍔状部１０ｂ”の下端縁、筒状部１３における内側下端縁を、前記流し槽３０における周回上縁部３３の上面と同面状とし、あるいは、この上面よりやや上方に位置付けるように構成してあってもよい。
【００４５】
かかる上面側板部１２ｂの凹状部１２ｃに組み付けられる取付け金具１８は、前板部１８ａと、この前板部１８ａの両端部から後方に屈曲されている側板部１８ｂ、１８ｂと、この各側板部１８ｂの上端部から側方に屈曲されている上側屈曲板部１８ｄと、当該側板部１８ｂの下端部から側方に屈曲されている下側屈曲板部１８ｃとを備えた構成としてあり、前記各側板部１８ｂ、１８ｂ間に前記水栓柱４０を入れ込み得る構成としてある。
【００４６】
かかる取付け金具１８は、前記凹状部１２ｃの凹状奥部面に該前板部１８ａを接しさせて該凹状部１２ｃ内に入れ込み、当該取付け金具１８の下側屈曲板部１８ｃを前記上面側板部１２ｂの下面側に接しさせると共に、該上面側板部１２ｂに設けられている孔１２ｅから該下側屈曲板部１８ｃに設けられている雌ねじ孔１８ｇにネジ１９をねじ入れることによって当該上面側板部１２ｂに止着してある。
【００４７】
かかる枠状部１０に備えられる筒状部１３は、前記側部側板状部１０ｂ’から一連に起立されている前壁部１３ｃと、前記上面側板部１２ｂ及び前面側板部１２ａに一連に連続されている横壁部１３ｂと、該横壁部１３ｂと反対側にある外側の横壁部１３ｅと、この各横壁部１３ｂ、１３ｅの後部側間を連続させる背面壁部１３ｄとを備え、蝶番１５を備えた蓋１４によって上部の開口を開閉可能に塞ぎ得る構成としてある。
また、この筒状部１３の筒内上部に鍔状受け部１３ａが設けてあると共に、下側が開放状態としてある。
【００４８】
かかる筒状部１３に出し入れ自在に組み入れられる収納容器１６は、底面側に水抜き孔１６ｂを備えていると共に、上部に外鍔１６ａを備えた上部開口のバケット状とされており、前記鍔状受け部１３ａに該外鍔１６ａを支承された状態で当該筒状部１３の収納空間１７内に納め入れられる構成としてあって、必要に応じて当該収納容器１６を当該収納空間１７から取り出して掃除などの処置を施すことができる。
また、起立枠状部２０の組み付けに際して、筒状部１３の蓋１４を開き前記収納容器１６を取り出すと共に当該筒状部１３の開口から当該収納空間１７内にねじ回しなどを差し入れて、この筒状部１３の横壁部１３ｂに設けられている孔１３ｆから前記起立枠状部２０に設けられている雌ねじ部材２１ｆにねじ入れた蝶ボルト５１を操作して、当該起立枠状部２０の装飾本体部Ａ’に対する組み付け並びに取り外しをなすことができる。
このように上部側開口を蓋４によって開閉可能とされた筒状部１３に収納容器１６が備えられていることから、この収納容器１６を用いて洗剤、石鹸、たわしなどの洗浄などに用いられる各種用品を外部にさらすことなく収納することができる。
なお、前記図示例にあっては、筒状部１３内に収納容器１６を納め入れた構成としてあるが、かかる収納容器を設けずに、この筒状部１３自体を上面開口に蓋を備え、且つ、底面の塞がれた筒状の収納手段として構成するようにしてあってもよい。
【００４９】
かかる構成の枠状部１０に一体に備えられている裾部１１は、前記流し槽３０の外側部３０’を側方から装飾するように、当該枠状部１０における少なくとも前部側１０ａと側部側１０ｂから下方に向けて延設状態に備えられている。
かかる裾部１１は、前記流し槽３０の外側部３０’を側方から装飾し得るものであれば、いかなる形態を備えたものとして構成してあってもよく、この図示例にあっては、前記前部側板状部１０ａ’の外周側と、側部側板状部１０ｂ’の外周側及び該側部側板状部１０ｂ’に連続して前記側部側１０ｂを構成する筒状部１３の横壁部１３ｅ部分とから下方に向けて連続した状態で設けてあり、また、当該枠状部１０の背面側に前記裾部１１が屈曲して鍔状の突き出し部１１ｃを構成するようにしてある。
【００５０】
また、このように平面視でほぼＵ字状をなすように一連に構成された裾部１１は、その下端縁にそれぞれ内方に突き出す鍔状部１１ａ’、１１ｂ’、１１ｃ’を備えた構成としてある。
【００５１】
また、前記枠状部１０は、その背面側に、前記流し槽３０の後部側が突き出し得るように前記突き出し部１１ｃの突き出し縁と前記上面側板部１２ｂの屈曲片部１２ｆ及び当該上面側板部１２ｂに取付けられた取付け金具１８の下側屈曲板部１８ｃと、前記筒状部１３の背面壁部１３ｄの下端縁とによって前記流し槽３０における後部側の突き出し可能な開放部を構成するようにしてある。
【００５２】
このように構成される装飾本体部Ａ’は、前記水栓柱４０を備えた流し槽３０に対して、当該流し槽３０の周縁上縁部３３を前記枠状部１０を構成する前部側板状部１０ａと、側部側板状部１０ｂと、筒状部１３と、立ち上り装飾部１２とによってに上方から装飾すると共に、前記裾部１１における前面側板状部１１ａと、側面側板状部１１ｂと突き出し部１１ｃによって、当該流し槽３０の外側部３０’を側方から装飾するようにしてある。
【００５３】
また、この図示例にかかる装飾本体部Ａ’は、設置されている水栓柱４０を都合よく前記取付け金具１８に受け入れると共に、前記前部側板状部１０ａ及び側部側板状部１０ｂの下面を前記流し槽３０における周回上縁部３３に載せかけた状態で、前記裾部１１によって当該流し槽３０の外側部３０’を側方より都合よく隠すように、当該裾部１１の各鍔状部１１ａ’、１１ｂ’、１１ｃ’が当該設置流し槽３０の下部側の設置面とほぼ同面状となるように当該流し槽３０に被せると共に、前記水栓柱４０に当て板４０ｄを貼着し、前記取付け金具１８に設けられている雌ねじ孔１８ｅにねじ入れた六角ボルト５０の先端を前記当て板４０ｃに押しつけるようにして、当該装飾本体部Ａ’を屋外用流しＢに組み付ける。
【００５４】
なお、前記枠状部１０から下方に向けて突き出し状に備えられる裾部１１は、当該装飾本体部Ａ’の装着される屋外用流しＢの設置態様などに適宜対応した形状を備えたものとして構成されるものであって、設置されている屋外用流しＢにおける外側部３０’の下部側を残して当該外側部３０’を側方から装飾するように、当該屋外用流しＢにおける流し槽３０の高さ寸法よりも短い突き出し寸法としてあってもよく、また、当該流し槽３０を別段に用意されるブロックなどの上に設置される場合などにあっては、当該流し槽３０の高さ寸法よりも長い突き出し寸法を備えたものとしてあってもよい。
【００５５】
ついで、かかる装飾本体部Ａ’に起立状態に備えられて前記水栓柱４０における水栓４１を突き出させた状態で当該水栓柱４０の前面を覆う起立装飾部Ａ”について説明する。
【００５６】
かかる装飾本体部Ａ’に起立状態に備えられる起立装飾部Ａ”は、プラスチック製、コンクリート製、石製、金属製、木材製など、装飾本体部Ａ’に起立状態に備えられて前記水栓柱４０における水栓４１を突き出させた状態で当該水栓柱４０の前面を覆う形状に加工し得る素材であればいかなる素材によって構成してあってもよく、耐水性、対薬品性を有する素材によって構成されることが好ましく、例えば、ＦＲＰによって構成提供することができる。
また、当該起立装飾部Ａ”を一体のものとして構成してあっても、また、複数の部材の組み付けによって構成してあってもよい。
【００５７】
この図示例に係る起立装飾部Ａ”は、前記装飾本体部Ａ’の枠状部１０に起立状態に備えられる起立枠状部２０と、この四角形状の環枠状に構成されている起立枠状部２０内に取付け及び取り外し可能に組み付けられる装飾板２４と、この装飾板２４に設けられている開口２５を塞ぐ化粧板２６’などの塞ぎ手段２６などを備えて構成されている。
【００５８】
かかる起立装飾部Ａ”は、前記装飾本体部Ａ’における枠状部１０に対して適宜の連結手段によって起立状態に組み付けられる構成としてある。
【００５９】
かかる起立装飾部Ａ”を構成する起立枠状部２０は、いかなる形状を備えたものとして構成してあってもよく、この図示例にあっては、下側枠部２１と、この下側枠部２１の両側から起立状態に備えられている縦向き枠部２２と、この各縦向き枠部２２、２２間を上部側で連続させている上側枠部２３とを備えた四角形状の環枠状に構成してある。
【００６０】
かかる起立枠状部２０は、前記枠状部１０における上面側板部１２ｂに当該起立枠状部２０の下側枠部２１を載せかけた際に、該下側枠部２１が前記筒状部１３間に、当該下側枠部２１の各側端面を構成する側面側板状部２１ｂを前記筒状部１３における横壁部１３ｂに密着し得る構成としてある。
【００６１】
また、この起立枠状部２０は、前記枠状部１０における上面側板部１２ｂに当該起立枠状部２０の下側枠部２１を載せかけて備え付けた際に、流し槽３０に備えられている前記水栓柱４０が、この起立枠状部２０の内方に位置付けられ得る大きさを備えたものとしてあり、この起立枠状部２０によって水栓柱４０における側方と上方とを囲むように備えられる構成としてある。
【００６２】
かかる起立枠状部２０における縦向き枠部２２と上側枠部２３は、一連に連続する筒状体、この図示例にあっては、ほぼ断面が四角形状をなす筒状体によって構成してあり、当該縦向き枠枠部の下部側間に当該縦向き枠部２２に連続するように下側枠部２１を備えた構成としてある。
【００６３】
かかる縦向き枠部２２は、その内側にある筒壁部面の後部側面２２ａが、前部側面２２ｂに対して内方に段状に隆起した構成としてあり、この前部側面２２ｂと後部側面２２ａとの間に段差面２２ｃを備えた構成としてある。
【００６４】
かかる下側枠部２１は、前記縦向き枠部２２の筒壁に連続して備えられている前面側板状部２１ａ及び側面側板状部２１ｂと、前記縦向き枠部２２間にあって当該縦向き枠部２２の筒壁及び前記前面側板状部２１ａに連続して備えられている上面側板状部２１ｃと、この上面側板状部２１ｃの後縁部から前方側に向けて割り欠き状態に備えられている凹状部２１ｅと、該上面側板状部２１ｃの後部側から連続して下方に向けて突き出すように備えられている鍔部２１ｉと、前記側面側板状部２１ｂ及び前記縦向き枠部２２の筒壁に連続して当該縦向き枠部２２における筒壁から延長された形状に備えられて当該下側枠部２１の背面側に前記鍔部２１ｉより下方を開放状態とした背面側板状部２１ｄと、この背面側板状部２１ｄから前記側面側板状部２１ｂ及び前面側板状部２１ａの下部側に連続される板状部２１ｇ’及び該板状部２１ｇ’間を連続するように前記前面側板状部２１ａの下部側から後方に向けて突き出されている板部２１ｇ”によって前記背面側板状部２１ｄ、２１ｄ間の開放に連続して下面を開放状態とした底面側板状部２１ｇとを備えた構成としてある。
【００６５】
また、この下側枠部２１における側面側板状部２１ｂには、外方から蝶ボルト５１をねじ入れ得る雌ねじ部材２１ｆを埋設状態に設けてある。また上面側板状部２１ｃには、当該起立枠状部２０を前記枠状部１０に組み付けるための孔２１ｈと、この起立枠状部２０に装飾板２４を取付ける孔２１ｊが設けてある。また、上側枠部２３における筒状部の下面側壁部には、外方からネジ２８をねじ入れ得る雌ねじ部材２３ａが埋設状態に設けてあり、前記孔２１ｊと共に装飾板２４を取付け、取り外し可能に組み付け得るようにしてある。
【００６６】
かかる下側枠部２１に備えられている凹状部２１ｅは、該凹状部２１ｅ内に前記水栓柱４０を受け入れ得る構成としてある。
かかる下側枠部２１は、この下側枠部２１における底面側板状部２１ｇを前記枠状部１０の上面側板部１２ｂ上に載せかけた際に、前記取付け金具１８における上側屈曲板部１８ｃが上面側板状部２１ｃの下面に都合よく接する構成としてある。
【００６７】
このように構成されている起立枠状部２０は、前記凹状部２１ｅ内に前記水栓柱４０を受け入れ且つ該起立枠状部２０の下側枠部２１の側面側板状部２１ｂを前記筒状部１３の横壁部１３ｂに接するように、前記下側枠部２１の前記底面側板状部２１ｇと背面側板状部２１ｄとにわたって設けてある開口から前記水栓柱４０に組み付けられている取付け金具１８を当該下側枠部２１内に受け入れることによって、当該起立枠状部２０を前記枠状部１０上、この図示例にあっては、前記上面側板部１２ｂ上に起立状態に載せかけ、次いで、前記収納容器１６を取り出した筒状部１３の内部側から、この筒状部１３の横壁部１３ｂに設けられている孔１３ｆを通して蝶ボルト５１を該起立枠状部２０の雌ねじ部材２１ｆにねじ入れて、当該起立枠状部２０を前記枠状部１０に固着すると共に、前記上面側板状部２１ｃに設けてある孔２１ｈから当該上面側板状部２１ｃの下面側に位置付けられている取付け金具１８の上側屈曲板部１８ｄに設けてある雌ねじ孔１８ｆにネジ５２をねじ入れて、当該起立枠状部２０を前記枠状部１０に対して確実に固着する。
【００６８】
かかる起立枠状部２０における環状をなす枠部、この図示例にあっては、前記下側枠部２１と各縦向き枠部２２と上側枠部２３とによって囲まれた前後に連通する四角形状の空間を塞ぐように、装飾板２４が、当該起立枠状部２０に対して取付け、取り外し可能に組み付けてある。
【００６９】
この起立枠状部２０に組み付けられる装飾板２４は、この図示例にあっては、当該起立枠状部２０の内側に嵌め合わせの状態で取付けられる長方形状のパネル状としてあり、当該装飾板２４の横方向の中央部に上下方向に長い開口２５を備えた構成としてあり、この開口２５から水栓柱４０に備えられている水栓４１を突き出し得るようにしてあって、前記起立枠状部２０の各枠部の内方に位置付けられている前記水栓柱４０の前面を覆うと共に、この水栓柱４０に備えられている水栓４１を前記開口２５から前方に突き出させるようにして当該起立枠状部２０に組み付けてある。なお、この図示例にあっては、装飾板２４を当該水栓柱４０の前面側に密着ないしは近接するように設けてある。
【００７０】
かかる図示例の装飾板２４は、幅側における中央部分が両側部分にある面状部２４ｆ対して後方側に屈曲して凹んだ状態の幅広の溝状をなす面状部２４ａとされており、この上下方向に亙るように備えられている面状部２４ａにおける幅側における中央部分に上下方向に長い開口２５が開設してあり、当該開口２５を塞ぐ化粧板２６’などの塞ぎ手段２６を適宜の手段で装着し得るようにしてある。
この図示例にあっては、かかる塞ぎ手段２６の典型的な取付け手段として面ファスナー２７を示しており、前記開口２５の縦側の開口縁部に雌雄をなす当該面ファスナー２７の一方の面ファスナー２７’を貼着した構成としてある。
【００７１】
また、この装飾板２４における両側縁部が後方に向けて屈曲した突き出し部２４ｂとしてあり、前記縦向き枠部２２の内側筒壁部に設けられている段差面２２ｃに突き当てられるようにしてある。
また、当該装飾板２４は、その上端縁部に前方に向けて突き出すように屈曲した鍔状部２４ｃを設け、前記上側枠部２１の筒壁面に対する接触面とし、また、この鍔状部２４ｃから一対の取付け片２４ｄを突き出し状態に設け、この取付け片２４ｄに孔２４ｅを設けた構成としてある。
また、この装飾板２４における前記面状部２４ａを除く面状部２４ｆの下端縁部から後方に向けて屈曲した突き出し部２４ｇが設けてあり、この突き出し部２４ｇには、その下面側から下方に突き出すように突起２４ｈが設けてある。
【００７２】
このように構成された装飾板２４を、当該装飾板２４における突起２４ｈを前記下側枠部２１に備えられている孔２１ｊに差し入れると共に前記水栓４１を前記開口２５から前方側に導き出すようにして当該装飾板２４を起立枠状部２０の内側に向けて押し入れ、この装飾板２４における突き出し部２４ｂを前記段差面２２ｃに押し当てるようになし、この状態で、前記取付け片２４ｄの孔２４ｅからネジ２８を前記上側枠部２３に備えられている雌ネジ部材２３ａにねじ入れることによって、当該装飾板２４を前記水栓柱４０の前面側を覆うように起立枠状部２０に組み付ける。
また、かかる装飾板２４は、前記ネジ２８をねじ戻すことによって当該ネジ２８による当該起立枠状部２０に対するねじ付け状態を解消すると共に、前記孔２１ｊから突起２４ｈを引き出して当該起立枠状部２０から取り外すことができる。
【００７３】
このように屋外用流しＢを装飾するように備えられた起立装飾部Ａ”における前記装飾板２４には、前記水栓４１を前方に向けて突き出させた状態で前記開口２５を塞ぐ塞ぎ手段２６を備えた構成としてあり、当該塞ぎ手段２６はいかなる手段によって構成してあってもよく、この図示例にあっては、当該塞ぎ手段２６を複数枚の化粧板２６’によって構成してある。
【００７４】
かかる装飾板２４に備えられる塞ぎ手段２６とされる化粧板２６’は、適宜の手段によって当該装飾板２４に着脱可能に装着し得るようにしてあり、この図示例にかかる化粧板２６’にあっては、前記装飾板２４に備えられている面ファスナー２７’に対応して当該面ファスナー２７’に着脱可能に係着される他方側の面ファスナー２７”を背面側に貼着した構成としてあり、装飾板２４に対して化粧板２６’を容易に当該雌雄をなす面ファスナー２７によって着脱可能に留め付けることができる。
【００７５】
かかる装飾板２４に備えられる化粧板２６’は、この図示例にあっては、前記面状部２４ａ内に前面側から都合よく嵌め入れ状に納め入れられる横幅を備えた四角形状のものとしてあり、当該面状部２４ａ内の上下方向に向けて、順次に、並列状態に装着される複数枚の化粧板２６’としてある。
【００７６】
この図示例にかかる化粧板２６’は、互いに隣り合って備えられる化粧板２６’の互いに接し合う縁部に半円状の凹部２９を備えた構成の２枚の化粧板２６’ｂと、当該凹部２９を備えていない複数枚の化粧板２６’ａとによって構成してある。
【００７７】
ここで塞ぎ手段２６として構成される化粧板２６’は、前記装飾板２４の開口２５から突き出されている水栓４１の栓４１ａよりも水栓柱４０側にある管部分を上下から前記凹部２９内に納め入れるようにして化粧板２６’ｂを当該装飾板２４に留め付け、当該化粧板２６’ｂによって塞がれていない開口２５を前記化粧板２６’ａで順次に塞ぐように装飾板２４に留め付けるようにしてある。
【００７８】
かかる化粧板２６’は、この開口２５から突き出されている水栓４１の突き出し位置に対応して、当該開口２５を都合よく塞いで前記装飾板２４に留め付け得るように、前記開口２５を直接塞ぐ枚数の化粧板２６’より多い枚数の化粧板２６’を用意してあり、また、前記装飾板２４の開口２５の縁部に備えられている面ファスナー２７’に連続して貼着して用いられる面ファスナー２７’ａを別段に用意してある。
かかる別段に用意されている面ファスナー２７’ａを、前記開口２５の縁部に備えられている面ファスナー２７’から上方、又は下方に突き出すように留め付けられる化粧板２６’の当該面ファスナー２７’からの突き出し長さに対応した長さに切断し、これを当該面ファスナー２７’から上方、又は下方に突き出すように留め付けられる化粧板２６’における当該突き出し位置にある装飾板２４に貼着し、この一連に連続された面ファスナー２７’、２７’ａ、２７’ａに対して前記化粧板２６’に備えられている面ファスナー２７”を係着するようにして当該化粧板２６’を前記開口２５を確実に塞いだ状態で前記装飾板２４に留め付けるようにしてある。
図１２の（ａ）、（ｂ）、（ｃ）、（ｄ）は、かかる化粧板２６’を、各種の高さにある水栓４１に対応して装飾板２４に留め付けた典型的な状態を示している。
図１２（ａ）では開口２５における最も高い位置で水栓柱４０の水栓４１を突き出させる状態を、また、図１２（ｂ）では開口２５における中間位置よりも上方位置で、図１２（ｃ）では開口２５における中間位置よりも下方位置で、更に、図１２（ｄ）では開口２５における最も低い位置で、それぞれ水栓柱４０の水栓４１を前方に突き出させる状態を示したものであって、当該水栓４１を前記半円状の凹部２９内に納め入れるように前記２枚の化粧板２６’ｂによって当該水栓４１を上下から挟むように装飾板２４に留めつけ、この化粧板２６’ｂで塞がれていない開口２５を塞ぐように他の化粧板２６’を装飾板２４に対して並列状態に留めつけた構成としてある。
【００７９】
このように構成される塞ぎ手段２６を備えた装飾体Ａは、水栓柱４０の立設高さ、即ち、立設されている水栓柱４０における水栓４１と流し槽３０との間の間隔が異なる各種の既設屋外用流しＢに対して、当該水栓４１を前記開口２５から都合良く前方に突き出させた状態で当該開口２５を塞いで構成することができ、立設高さの異なる各種の水栓柱４０を備えた既設の屋外用流しＢに対して都合よく装着して当該屋外用流しＢを装飾することができる。
【００８０】
また、前記装飾板２４を起立枠状部２０に対して取り付け、取り外し可能に設けることによって、図１３に示されるように不凍水栓柱４０’を備えた屋外用流しＢに対しても当該装飾体Ａの装飾手段として用いることができる。
即ち、寒冷地などにおいて、凍結の予想される期間、起立枠状部２０から装飾板２４を取り外し、この不凍水栓柱４０’における栓の開閉操作をなすハンドル４３の操作を可能とし、凍結の予想されない期間にあっては、前記起立枠状部２０に装飾板２４を取り付けるようにして用いることができる。
【００８１】
なお、前記の装飾体Ａは、装着対象とされる屋外流しＢに対応した適宜の外観を備えたものとして構成されており、例えば、全体をレンガ状、木目調、タイル貼り状など任意の外観を備えたものとして構成し、あるいは、各部をそれぞれに異なった外観、例えば装飾本体部Ａ’側や起立枠状部２０をレンガ状とし、装飾板２４を化粧パネル状とし、塞ぎ手段２６をタイル調とするなど任意の外観を備えたものとして構成することができる。
【００８２】
【発明の効果】
請求項１に記載の発明に係る屋外用流しの装飾体は、屋外に設置されている流しに対して当該装飾体を装着することによって、既設の流しの撤去を要せず、しかも、新規の流しの購入設置や、水道工事、排水工事、レンガ積みなどの装飾工事などの各種の工事を必要とすることなく、格別の有資格者や専門的技術者によることなしに、比較的短時間で、景観の良好な流し設備を構成できる利点を有している。
【００８３】
また、請求項２に記載の発明に係る屋外用流しの装飾体は、上下方向の種々の位置にある前記水栓柱の水栓を該起立装飾部から前方に向けて都合良く突き出した状態で当該装飾体を既設の流しに装着ができる利点を有している。
【００８４】
また、請求項３に記載の発明に係る屋外用流しの装飾体は、上下方向の種々の位置にある前記水栓柱の水栓を該化粧板の装着位置の変更によって当該起立装飾部から前方に向けて都合良く突き出した状態で当該装飾体を既設の流しに装着できる利点を有している。
【００８５】
また、請求項４に記載の発明に係る屋外用流しの装飾体は、装飾本体部から枠付き面状に起立する景観の流し設備を容易に構成できる利点を有している。
【００８６】
また、請求項５に記載の発明に係る屋外用流しの装飾体は、上下方向の種々の位置にある前記水栓柱の水栓を該化粧板の装着位置の変更によって当該枠付き面状に起立する起立装飾部から前方に向けて都合良く突き出した状態で当該装飾体を既設の流しに装着できる利点を有している。
【００８７】
また、請求項６に記載の発明に係る屋外用流しの装飾体は、不凍水栓柱を設置した際などにおいて、当該装飾板を取り外して対応できる利点を有している。
【図面の簡単な説明】
【図１】典型的な屋外用流しの装飾体の部品を分離し、当該装飾体で装飾される屋外用流しと共に前方側から見た斜視図
【図２】同背面側から見た斜視図
【図３】屋外用流しに化粧体を装着した状態を前方側から見た斜視図
【図４】同背面側から見た斜視図
【図５】同正面図
【図６】同側面図
【図７】同平面図
【図８】図７におけるＸ−Ｘ矢視断面図
【図９】図７におけるＹ−Ｙ線矢視断面図
【図１０】図７におけるＺ−Ｚ線矢視断面図
【図１１】装飾板２４と当該装飾体２４の開口２５を塞ぐ塞ぎ手段２６としての化板板２６’を分離した状態で示す部品分離斜視図
【図１２】水栓柱４０の突き出し開口２５から突き出される各水栓の位置に対応して、装飾板２４における開口２５を塞ぐように当該装飾板２４に塞ぎ手段２６としての各化粧板２６’を留め付けた状態を示す正面図
【図１３】不凍水栓柱を備えた屋外用流しに装着されている化粧体において、当該化粧体における装飾板２４を取り外した状態を示す正面図
【符号の説明】
Ａ  装飾体
Ｂ  屋外用流し
Ａ’  装飾本体部
Ａ”  起立装飾部
１０  枠状部
１０ａ  前部側
１０ｂ  側部側
１１  裾部
３０  流し槽
３０’  外側部
３３  周回上縁部
３５  排水手段
４０  水栓柱
４１  水栓
【図１】
2004162354.tif 000003
【図２】
2004162354.tif 000004
【図３】
2004162354.tif 000005
【図４】
2004162354.tif 000006
【図５】
2004162354.tif 000007
【図６】
2004162354.tif 000008
【図７】
2004162354.tif 000009
【図８】
2004162354.tif 000010
【図９】
2004162354.tif 000011
【図１０】
2004162354.tif 000012
【図１１】
2004162354.tif 000013
【図１２】
2004162354.tif 000014
【図１３】
2004162354.tif 000015